(57)【要約】【課題】  大型化することなく本体内における配線部材のたるみを防止できる画像読取装置を提供する。【解決手段】  ＭＦＰ１０は、本体２０及びカバー部３０を備える。本体２０は、原稿が載置される原稿台２１を上面に有し、原稿の画像を読み取る。カバー部３０は、本体２０の上面に上下動自在に挿入された脚部４０Ａ，４０Ｂ及び脚部４０Ａ，４０Ｂに軸支され原稿台２１を開閉するカバー本体３３を有する。カバー本体３３は、表示部３１及び操作部３２を有する。表示部３１及び操作部３２は、一端が本体２０内の所定の部材に接続され、脚部４０Ａ，４０Ｂ内を通ってカバー本体３３まで配された配線部材７０，７１の他端に接続される。本体２０は、本体２０内において脚部４０Ａ，４０Ｂの下端から出た配線部材７０，７１に下向きの弾性力を付加する弾性力付加部材８０を有する。【選択図】  図６
2007088996.tif 000002
【特許請求の範囲】
【請求項１】
原稿が載置される原稿台を上面に有し前記原稿の画像を読み取る本体と、
前記本体の上面に上下動自在に挿入された脚部及び前記脚部に軸支され前記原稿台を開閉するカバー本体を有するカバー部と、を備え、
前記カバー本体は、一端が前記本体内の所定の部材に接続され、前記脚部内を通って前記カバー本体まで配された配線部材の他端に接続された電子機器を有し、
前記本体は、前記本体内において前記脚部の下端から出た前記配線部材に下向きの弾性力を付加する弾性力付加部材を有することを特徴とする画像読取装置。
【請求項２】
前記弾性力付加部材は、上下動自在に配置されるとともに下端部で前記配線部材を下向きに押す押圧板と、前記押圧板に下向きの弾性力を付加する弾性部材と、を含むことを特徴とする請求項１に記載の画像読取装置。
【請求項３】
前記押圧板の下端部は、水平方向における中央部に凹部を有することを特徴とする請求項２に記載の画像読取装置。
【請求項４】
前記凹部は、円弧状であることを特徴とする請求項３に記載の画像読取装置。
【発明の詳細な説明】
【技術分野】
【０００１】
この発明は、本体から配された配線部材に接続された電子機器を有するとともに本体に対して上下動自在なカバー部を備えた画像読取装置に関する。
【背景技術】
【０００２】
本体とカバー部とからなる画像読取装置には、カバー部が本体に対して上下動自在にされるとともに、カバー部に電子機器を備えたものがある。このような画像読取装置では、一般的に、カバー部は、カバー本体と、カバー本体を軸支する脚部とからなり、脚部が本体の上面に上下動自在に挿入されている。そして、カバー本体を水平に維持したままカバー本体で原稿を原稿台に押え付けるために、原稿台上に載置された原稿の厚さに応じて、カバー部が本体に対して上下動させられる。また、カバー部の電子機器は、本体の制御部から脚部を通ってカバー本体まで配された配線部材によって電力の供給を受ける。
【０００３】
このため、従来の画像読取装置では、カバー部の上下動によって、配線部材が脚部の近傍でたるむことがある。配線部材が脚部の近傍でたるんだ場合、配線部材が脚部と本体との間に噛み込まれ、配線部材が断線する場合がある。
【０００４】
配線部材のたるみを防止する技術として、弾力を有する可撓性チューブに配線部材を挿通し、可撓性チューブを格納箱内に螺旋状に巻いた状態で格納するという技術がある（例えば、特許文献１参照。）。
【特許文献１】特開平１０−１６４７４４号公報
【発明の開示】
【発明が解決しようとする課題】
【０００５】
しかし、上述の特許文献１の技術は、配線部材を可撓性チューブに挿通することで、配線部材を直状に引き出し及び巻き戻ししようとするものであるため、配線部材に張りができたとしても、配線部材の長さに余裕ができたときに配線部材がどの方向に移動するかが規制されない。このため、配線部材が噛み込まれることで損傷する場合がある。
【０００６】
また、特許文献１の技術では、配線部材を可撓性チューブに挿通するので、配線部材が太くなる。このため、配線部材の格納に必要なスペースが大きくなる。また、配線部材を螺旋状に巻いて格納するためのスペースが必要になるので、配線部材を格納するために必要なスペースがさらに大きくなる。したがって、装置を大型化する必要が生じる。
【０００７】
この発明の目的は、大型化することなく本体内における配線部材のたるみを防止できる画像読取装置を提供することにある。
【課題を解決するための手段】
【０００８】
この発明の画像読取装置は、上述の課題を解決するために以下のように構成される。
【０００９】
（１）原稿が載置される原稿台を上面に有し前記原稿の画像を読み取る本体と、
前記本体の上面に上下動自在に挿入された脚部及び前記脚部に軸支され前記原稿台を開閉するカバー本体を有するカバー部と、を備え、
前記カバー本体は、一端が前記本体内の所定の部材に接続され、前記脚部内を通って前記カバー本体まで配された配線部材の他端に接続された電子機器を有し、
前記本体は、前記本体内において前記脚部の下端から出た前記配線部材に下向きの弾性力を付加する弾性力付加部材を有することを特徴とする。
【００１０】
この構成においては、カバー部の上下方向の位置にかかわらず、本体内において脚部の下端から出た配線部材に、下向きの弾性力が付加される。このため、配線部材は、脚部と本体とが摺動する部分から離れた場所に配置される。
【００１１】
（２）前記弾性力付加部材は、上下動自在に配置されるとともに下端部で前記配線部材を下向きに押す押圧板と、前記押圧板に下向きの弾性力を付加する弾性部材と、を含むことを特徴とする。
【００１２】
この構成においては、押圧板の下端部で配線部材を下向きに押すことで、配線部材の長さに余裕ができたときでも、配線部材のたるみが防止される。
【００１３】
（３）前記押圧板の下端部は、水平方向における中央部に凹部を有することを特徴とする。
【００１４】
この構成においては、押圧板の下端部は水平方向における中央部に凹部を有するので、配線部材が凹部によって容易に係止される。
【００１５】
（４）前記凹部は、円弧状であることを特徴とする。
【００１６】
この構成においては、押圧板の下端部の円弧状の凹部によって、配線部材が容易に係止される。
【発明の効果】
【００１７】
この発明によれば、以下の効果を奏することができる。
【００１８】
（１）カバー部の上下方向の位置にかかわらず、本体内において脚部の下端から出た配線部材に下向きの弾性力を付加することで、配線部材を脚部と本体とが摺動する部分から離れた場所に配置することができる。このため、本体内における配線部材のたるみを防止することができ、脚部と本体とが摺動する部分に配線部材が噛み込まれることを防止することができる。このため、配線部材の断線を防止することができる。
【００１９】
さらに、配線部材が太くなることがないので、画像読取装置を大型化する必要が生じない。
【００２０】
（２）押圧板の下端部で配線部材を下向きに押すことで、配線部材の長さに余裕ができたときでも、配線部材のたるみを防止することができる。また、押圧板に弾性部材によって弾性力を付加するという簡単な構成で、配線部材のたるみを防止することができる。
【００２１】
（３）押圧板の下端部が水平方向における中央部に凹部を有することで、配線部材を凹部によって容易に係止することができるので、脚部と本体とが摺動する部分から離れた場所に配線部材を確実に配置することができる。このため、配線部材のたるみを防ぎ、配線部材の断線を防止することができる。
【００２２】
（４）押圧板の下端部の円弧状の凹部によって配線部材を容易に係止できるので、脚部と本体とが摺動する部分から離れた場所に配線部材を確実に配置することができる。このため、配線部材のたるみを防ぎ、配線部材の断線を防止することができる。
【発明を実施するための最良の形態】
【００２３】
以下に、この発明の実施形態について図面に基づいて説明する。図１は、この発明の実施形態に係る画像読取装置を包含するＭＦＰ（Multi Function Printer）１０の構成を示す斜視図である。図２は、ＭＦＰ１０の構成を示す側面図である。図３は、ＭＦＰ１０を斜め後方から見た一部分解斜視図である。
【００２４】
ＭＦＰ１０は、本体２０、及び、フラットベッドカバー（以下、カバー部という。）３０を備えている。ＭＦＰ１０は、本体２０内に光学式の画像読取部５０及びインクジェット方式の画像形成部６０を備え、コピー機能、ファックス機能、プリンタ機能、及び、スキャナ機能などを有している。
【００２５】
本体２０は、透明ガラスからなる原稿台２１を上面に備えている。原稿台２１の上には種々の厚さの原稿が載置される。
【００２６】
カバー部３０は、カバー本体３３と脚部４０Ａ，４０Ｂとを有する。カバー本体３３の上面には、液晶の表示部３１及び操作部３２が設けられている。表示部３１及び操作部３２のそれぞれは、この発明の電子機器に相当する。ＭＦＰ１０では、表示部３１がカバー本体３３に設けられているので、大きい面積の表示部３１を搭載可能である。また、操作部３２は、表示部３１とともにカバー本体３３の上面に設けられているので、表示部３１を見ながらの操作が容易である。また、表示部３１及び操作部３２がカバー本体３３に設けられているので、本体２０の上面に設けられている場合より、ＭＦＰ１０の小型化が図られる。
【００２７】
本体２０の上面のうち後方側端部近傍に、２個の孔２３Ａ，２３Ｂが設けられている。孔２３Ａ，２３Ｂは、本体２０の上面のうち、原稿台２１以外の領域に設けられている。脚部４０Ａ，４０Ｂのそれぞれは、孔２３Ａ，２３Ｂに上下動自在に挿入されている。脚部４０Ａは、上端部にヒンジ部４１Ａを有している。同様に、脚部４０Ｂは、上端部にヒンジ部４１Ｂを有している。カバー本体３３は、脚部４０Ａ，４０Ｂに、ヒンジ部４１Ａ，４１Ｂで軸支されている。これによって、カバー本体３３は、原稿台２１を開閉自在にされており、原稿台２１上に載置された原稿の上面を押え付ける。
【００２８】
脚部４０Ａ内には配線部材７０が挿通されている。脚部４０Ｂ内には配線部材７１が挿通されている。表示部３１及び操作部３２のそれぞれには、本体２０内から脚部４０Ａ，４０Ｂ内を通ってカバー本体３３内に配されている配線部材７０，７１が接続されている。
【００２９】
カバー部３０は、原稿台２１上に載置された原稿の厚さに応じて、上下方向に移動させられる。薄い原稿を画像読取部５０で読み取る場合は、カバー部３０は、図２に示すように、脚部４０Ａ，４０Ｂのほとんどが本体２０内に挿入された下降位置に配置される。厚い原稿を画像読取部５０で読み取る場合は、カバー部３０は、図４に示すように、脚部４０Ａ，４０Ｂが上方に引き出され、原稿の厚さに応じた高さの上昇位置に配置される。カバー本体３３は、原稿台２１に対して略水平を維持した状態で、原稿台２１上に載置された原稿の上面を押え付ける。
【００３０】
図５は、ＭＦＰ１０の概略の構成を示すブロック図である。ＭＦＰ１０は、本体２０に、ＣＰＵ、ＲＯＭ及びＲＡＭなどを含む制御部２２を備えている。制御部２２には、画像読取部５０の光源５１、ＣＣＤラインセンサ５２、モータ及びクラッチなどを含む画像読取部負荷機器５３、並びに、画像形成部６０のモータ及びクラッチなどを含む画像形成部負荷機器６１などの入出力機器が接続され、制御部２２はこれらの入出力機器を統括的に制御している。
【００３１】
また、ＭＦＰ１０は、カバー部３０に、表示部３１及び操作部３２を備えている。
【００３２】
例えば、制御部２２は、画像読取部５０で読み取った原稿の画像を画像データとして制御部２２内のＲＡＭに記憶する。制御部２２は、画像処理用のプログラムを記憶しており、表示部３１に画像読取部５０で読み取られた画像を表示する。また、制御部２２は、操作部３２からの入力操作に基づいて、表示部３１に表示された画像を編集し、編集後の画像に対応する画像データを記憶するとともに、表示部３１に表示する。制御部２２は、上述の画像データを画像形成部６０に出力し、編集後の画像を用紙上に形成する。
【００３３】
上述の配線部材７０，７１の一端は、制御部２２に電気的に接続され、他端は表示部３１及び操作部３２のそれぞれに電気的に接続されている。配線部材７０，７１は、表示部３１及び操作部３２のそれぞれと制御部２２との間で画像データなどの電気信号を伝える配線部材と、制御部２２を含む電源回路から表示部３１及び操作部３２のそれぞれに電力を供給する配線部材とを含んでいる。
【００３４】
図６（Ａ）は、カバー部３０が下降位置にあるときの配線部材７０の状態を示す側面視の断面図であり、図６（Ｂ）は、カバー部３０が上昇位置にあるときの配線部材７０の状態を示す側面視の断面図である。図７は、弾性力付加部材８０の構成を示す斜視図である。配線部材７１についても同様である。
【００３５】
本体２０は、孔２３Ａの近傍に、弾性力付加部材８０を備えている。図示されていないが、本体２０は、孔２３Ｂの近傍にも、弾性力付加部材８０と同様の弾性力付加部材を備えている。
【００３６】
弾性力付加部材８０は、ケース８１、スプリング８２及び押圧板８３を備えている。スプリング８２は、この発明の弾性部材に相当する。スプリング８２は、ケース８１内において上下方向に伸縮自在に配置されている。押圧板８３は、上方の一部がケース８１内に収納され、上下方向に移動自在にされている。また、押圧板８３は、スプリング８２によって、常に下向きの弾性力を付加されている。
【００３７】
図６（Ａ）に示すように、脚部４０Ａが下降位置にある状態において、弾性力付加部材８０の押圧板８３の下端部が、脚部４０Ａの下端部４２Ａと略同じ高さ又は若干下方に位置するように、弾性力付加部材８０は形成されている。
【００３８】
押圧板８３の下端部に、脚部４０Ａの下端部４２Ａから出た配線部材７０が係止されている。図６（Ａ）に示すように、カバー部３０が下降位置にあるとき、押圧板８３は、スプリング８２の弾性力によって下方に移動することで、配線部材７０を下方に押し下げる。このため、配線部材７０は、たるむことがなく、孔２３Ａと脚部４０Ａとの間に噛み込まれることがない。
【００３９】
図６（Ｂ）に示すように、カバー部３０が上昇位置に移動したとき、脚部４０Ａが上方に移動するのとともに、脚部４０Ａの下端部４２Ａから出た配線部材７０は、スプリング８２の弾性力に抗して押圧板８３を持ち上げながら引き上げられる。このため、配線部材７０は、たるむことがなく、孔２３Ａと脚部４０Ａとの間に噛み込まれることがない。
【００４０】
ＭＦＰ１０によれば、カバー部３０の上下方向の位置にかかわらず、本体２０内において脚部４０Ａ，４０Ｂの下端４２Ａ，４２Ｂから出た配線部材７０，７１に下向きの弾性力を付加することで、配線部材７０，７１を脚部４０Ａ，４０Ｂと本体２０とが摺動する部分（脚部４０Ａと孔２３Ａとの間及び脚部４０Ｂと孔２３Ｂとの間）から離れた場所に配置することができる。このため、本体２０内における配線部材７０，７１のたるみを防止することができ、脚部４０Ａと孔２３Ａとの間及び脚部４０Ｂと孔２３Ｂとの間のそれぞれに配線部材７０，７１が噛み込まれることを防止することができる。このため、配線部材７０，７１の損傷を防ぐことができる。したがって、表示部３１及び操作部３２の断線による故障を防止することができる。
【００４１】
また、脚部４０Ａが下降位置にある状態における脚部４０Ａの下端部４２Ａより、弾性力付加部材８０を大きく下方に出張らせる必要がないので、弾性力付加部材８０を備えることでＭＦＰ１０を大型化する必要が生じない。
【００４２】
また、配線部材７０，７１が太くなることがないので、ＭＦＰ１０を大型化する必要が生じない。
【００４３】
さらに、押圧板８３の下端部で配線部材７０，７１を下向きに押すことで、配線部材７０，７１の長さに余裕ができたときでも、配線部材７０，７１のたるみを防止することができる。また、押圧板８３にスプリング８２によって弾性力を付加するという簡単な構成で、配線部材７０，７１のたるみを防止することができる。
【００４４】
図８（Ａ）は、他の実施形態における弾性力付加部材８０Ａの構成を示す斜視図である。この実施形態における押圧板８３Ａの下端部には、弾性力付加部材８０ＡがＭＦＰ１０に設置された状態における水平方向の両端部に突起部８４Ａ，８５Ａが設けられ、突起部８４Ａと突起部８５Ａとの間に凹部８６Ａが形成されている。凹部８６Ａは、コの字形に形成されている。凹部８６Ａは、押圧板８３Ａの側面のうち水平方向の寸法が大きい方の側面において、コの字形になるように形成されている。このため、凹部８６Ａによって、配線部材７０，７１が容易に係止される。
【００４５】
押圧板８３Ａの下端部が、水平方向における中央部に凹部８６Ａを有することで、配線部材７０，７１を凹部８６Ａによって容易に係止することができるので、脚部４０Ａと孔２３Ａとの間及び脚部４０Ｂと孔２３Ｂとの間のそれぞれから離れた場所に配線部材７０，７１を確実に配置することができる。このため、配線部材７０，７１のたるみを防ぎ、配線部材の断線をより確実に防止することができる。
【００４６】
図８（Ｂ）は、さらに他の実施形態における弾性力付加部材８０Ｂの構成を示す斜視図である。この実施形態における押圧板８３Ｂの下端部には、凹部８６Ａに代えて、円弧状の凹部８６Ｂが形成されている。凹部８６Ｂは、押圧板８３Ｂの側面のうち水平方向の寸法が大きい方の側面において、円弧状となるように形成されている。このため、凹部８６Ｂによって、配線部材７０，７１が容易に係止される。
【００４７】
押圧板８３Ｂの下端部の円弧状の凹部８６Ｂによって配線部材７０，７１を容易に係止できるので、脚部４０Ａと孔２３Ａとの間及び脚部４０Ｂと孔２３Ｂとの間のそれぞれから離れた場所に配線部材７０，７１を確実に配置することができる。このため、配線部材７０，７１のたるみを防ぎ、配線部材７０，７１の断線をより確実に防止することができる。
【００４８】
なお、図６に示すように弾性力付加部材８０が本体２０内部の上端部に配置され、押圧板８３が配線部材７０，７１を下向きに押す構成に限定されない。例えば、弾性力付加部材８０は、図６に示す状態とは上下逆向きに本体２０内部の下端部に配置され、押圧板８３の上端部が配線部材７０，７１に係止され、押圧板８３が配線部材７０，７１を下向きに引っ張る構成にしてもよい。これによっても、脚部４０Ａ，４０Ｂの下端から出た配線部材７０，７１に下向きの弾性力を付加でき、配線部材７０，７１を脚部４０Ａ，４０Ｂと本体２０とが摺動する部分（脚部４０Ａと孔２３Ａとの間及び脚部４０Ｂと孔２３Ｂとの間）から離れた場所に配置することができる。このため、本体２０内における配線部材７０，７１のたるみを防止することができる等、上述の各実施形態と同様の効果を奏することができる。
【００４９】
また、表示部３１及び操作部３２は、必ずしも両者ともにカバー本体３３の上面に設けられていることに限定されず、いずれか一方のみがカバー本体３３に設けられ、他方は本体２０に設けられていてもよい。
【００５０】
さらに、カバー本体３３に設けられる電子機器は、表示部３１及び操作部３２であることに限定されず、自動用紙搬送装置などの機器であってもよい。この場合は、配線部材７０，７１によって自動用紙搬送装置などの機器と制御部２２とが接続され、表示部３１及び操作部３２の両者が本体２０に設けられていてもよい。
【００５１】
また、画像形成部６０は、インクジェット方式に限定されず、例えば電子写真方式又はサーマル方式などであってもよい。
【図面の簡単な説明】
【００５２】
【図１】この発明の実施形態に係る画像読取装置を包含するＭＦＰの構成を示す斜視図である。
【図２】前記ＭＦＰの構成を示す側面図である。
【図３】前記ＭＦＰを斜め後方から見た一部分解斜視図である。
【図４】カバー部が上昇位置にある状態の前記ＭＦＰの構成を示す側面図である。
【図５】前記ＭＦＰの概略の構成を示すブロック図である。
【図６】（Ａ）は、カバー部が下降位置にあるときの配線部材の状態を示す側面視の断面図であり、（Ｂ）は、カバー部が上昇位置にあるときの配線部材の状態を示す側面視の断面図である。
【図７】弾性力付加部材の構成を示す斜視図である。
【図８】（Ａ）は、他の実施形態における弾性力付加部材の構成を示す斜視図であり、（Ｂ）は、さらに他の実施形態における弾性力付加部材の構成を示す斜視図である。
【符号の説明】
【００５３】
１０  ＭＦＰ
２０  本体
３０  カバー部
３１  表示部（電子機器）
３２  操作部（電子機器）
３３  カバー本体
４０Ａ，４０Ｂ  脚部
５０  画像読取部
７０，７１  配線部材
８０  弾性力付加部材
８２  スプリング（弾性部材）
８３  押圧板
【図１】
2007088996.tif 000003
【図２】
2007088996.tif 000004
【図３】
2007088996.tif 000005
【図４】
2007088996.tif 000006
【図５】
2007088996.tif 000007
【図６】
2007088996.tif 000008
【図７】
2007088996.tif 000009
【図８】
2007088996.tif 000010